(57)【要約】  本発明は、鐘音レベルが特に高い、ミニッツリピータ機構のような鐘音機構を備える時計に関する。この時計は、密封部分（２）および非密封部分（３）を備えるケース（１）と、ケース（１）の密封部分（２）内に配設した時打ち機構（４０）と、時打ち機構（４０）によって操作されるための少なくとも１つの鐘（１０、３０）であって、ケース（１）の非密封部分（３）内に完全に位置する少なくとも１つの鐘（１０、３０）とを備える。【選択図】図１
2014513309.tif 000002
【特許請求の範囲】
【請求項１】
密封部分（２）および非密封部分（３）を含むケース（１）と、
前記ケース（１）の前記密封部分（２）内に配設された時打ち機構（４０）と、
前記時打ち機構（４０）によって操作されるための少なくとも１つの鐘（１０、３０）と
を備える時計であって、
前記１つまたは複数の鐘（１０、３０）が完全に前記ケース（１）の前記非密封部分（３）の中に位置することを特徴とする時計。
【請求項２】
前記ケース（１）の前記密封部分（２）の中で発生する前記時打ち機構（４０）の運動を、完全に前記ケース（１）の前記非密封部分（３）の中に位置する前記１つまたは複数の鐘（１０、３０）に伝達するために設けられた伝達手段（４、５、６、７、９、１４〜２８）を備える、請求項１に記載の時計。
【請求項３】
前記伝達手段（４、５、６、７、９、１４〜２８）が、前記ケース（１）の前記密封部分（２）内で前記時打ち機構によって打たれることと、それに応じて前記ケース（１）の前記非密封部分（３）内で前記１つまたは複数の鐘（１０、３０）を打つこととがそれぞれ可能となるように配設される、請求項２に記載の時計。
【請求項４】
前記伝達手段が、
前記ケース（１）の前記密封部分（２）と前記非密封部分（３）とを隔てる隔壁（８）に設けられた少なくとも１つの穴（４）と、
前記穴（４）に配設された少なくとも１つのシールブッシュ（７）と、
前記シールブッシュ（７）を貫通する少なくとも１つの打鐘体（７）であって、前記時打ち機構（４０）によって打たれ、それに応じて鐘（１０）を打つように配設される少なくとも１つの打鐘体（５）と、
前記打鐘体（５）を休止位置に戻すための少なくとも１つの戻しばね（９）と
を備える、請求項３に記載の時計。
【請求項５】
前記伝達手段が、前記ケース（１）の前記密封部分（２）と前記非密封部分（３）とを少なくとも部分的に隔てる弾性かつ非振動性の膜（１４、１７、１９、２２）を備え、当該膜（１４、１７、１９、２２）が前記時打ち機構（４０）の運動を前記１つまたは複数の鐘（１０、３０）に伝達するように配設される、請求項２に記載の時計。
【請求項６】
前記膜（１４、１７、１９、２２）が、前記時打ち機構（４０）によって打たれるように、および／または鐘（１０、３０）を打つように設けられた少なくとも１つの打鐘体（１５、１６、１８、２３、２４）を備える、請求項５に記載の時計。
【請求項７】
前記打鐘体（１５、１６、１８、２３、２４）が、前記ケース（１）の前記密封部分（２）に位置する部分（２０、２６、２８）と、前記ケース（１）の前記非密封部分（３）に位置する部分（２１、２５、２７）とを備える、請求項６に記載の時計。
【請求項８】
前記打鐘体（１８、２３、２４）が複数の部分（２０、２１、２５、２６、２７、２８）からなる、請求項６または７に記載の時計。
【請求項９】
前記１つまたは複数の打鐘体（１８、２３、２４）が前記膜（１９、２２）に取外し可能に固定されている、請求項６から８のいずれか一項に記載の時計。
【請求項１０】
前記伝達手段が、前記時打ち機構に関連付けられた少なくとも１つの磁石または電磁石であって、鐘に関連付けられた電磁石と協働する少なくとも１つの磁石または電磁石を備える、請求項２に記載の時計。
【請求項１１】
前記伝達手段が、前記時打ち機構によって操作される少なくとも１つのスイッチであって、少なくとも１つの鐘の作動を制御する電気的システムに接続された少なくとも１つのスイッチを備える、請求項２に記載の時計。
【請求項１２】
前記ケース（１）の前記非密封部分（３）が少なくとも１つの共鳴箱（１２）を備える、請求項１から１１のいずれか一項に記載の時計。
【請求項１３】
前記鐘（３０）が、中間隔離部品によって前記時計の前記ケース（１）から隔てられたシュー（２９）に固定されている、請求項１から１２のいずれか一項に記載の時計。
【請求項１４】
少なくとも１つの鐘（１０、３０）を前記ケース（１）の前記非密封部分（３）内に配置する、請求項１から１３のいずれか一項に記載の時計を製作する方法。
【請求項１５】
前記ケース（１）の前記密封部分（２）内で発生する前記時打ち機構（４０）の運動を前記１つまたは複数の鐘（１０、３０）に伝達することができる伝達手段（４、５、６、７、９、１４〜２８）を配設する、請求項１４に記載の方法。
【発明の詳細な説明】
【技術分野】
【０００１】
本発明は、鐘音レベルが特に高い、ミニッツリピータ機構のような鐘音機構を備えた時計に関する。
【背景技術】
【０００２】
特許文献１は、振動可能な膜によって隔てられた密封部分および非密封部分と、その膜に取り付けられた振動体と、振動体およびそれに付随する膜を振動させるための電気的手段とを具備するケースであって、電気的手段および振動体がケースの密封部分内にある、ケースを備える腕時計形の密封式音響アラーム安全装置を対象としている。この明細書は、振動体とそれに付随する膜以外にはいかなる鐘音機構についても記載していない。
【０００３】
特許文献２は、金属フィルムであってもよいフィルタによって隔てられた密封部分および非密封部分と、鐘およびその鐘を打つように設けられたハンマを有する時打ち機構とを具備するケースを備え、その時打ち機構および鐘がケースの密封部分内にある、時計について記載している。
【０００４】
これらの特許文献で提案されている時計で特に共通しているのは、十分な密封性を維持しつつ、高い鐘音レベルを得ることを目指している点である。
【先行技術文献】
【特許文献】
【０００５】
【特許文献１】欧州特許出願第７４１３４４号明細書
【特許文献２】欧州特許出願第１８９２５９２号明細書
【特許文献３】欧州特許出願第１８５２７５５号明細書
【発明の概要】
【発明が解決しようとする課題】
【０００６】
本発明の主たる目的は、密封性を維持し、むしろ向上させながら、時計によって発せられる鐘音レベルを一段と高めることにある。
【課題を解決するための手段】
【０００７】
本発明によれば、この目的は、１つまたは複数の鐘全体がケースの非密封部分内に位置するという特質を有する時計によって果たされる。
【０００８】
そのため、本発明によれば、時打ち機構に発する鐘鈴情報は、その機構が置かれている環境とは異なる環境の中で再生される。
【０００９】
具体的には、時打ち機構の運動は、その時打ち機構が置かれている密封空間の外で忠実に再現され、そうすることで最大効率で放音が行われる。
【００１０】
ここからは、本発明のその他の特徴および利点について、添付の図面を参照しながら行う以下の説明で詳細に記していく。
【図面の簡単な説明】
【００１１】
【図１】本発明の第１の実施形態の上面図である。
【図２】図１の実施形態の正面断面図である。
【図３】本発明のもう１つの実施形態における打鐘体付きの膜の図である。
【図４】図３の膜の一変形形態の図である。
【図５】本発明のもう１つの実施形態における別種の打鐘体付きの膜の図である。
【図６】図５の膜の一変形形態の図である。
【図７】図６の膜を備える時計の正面断面図である。
【図８】図７の時計の上面図である。
【図９】図６の膜を備える時計のもう１つの実施形態の正面断面図である。
【図１０】図９の時計の上面図である。
【図１１】図１および２の実施形態に対応する、２つの共鳴箱を備える時計の上面図である。
【図１２】図４および６の実施形態に対応する、共鳴箱を持たない時計の上面図である。
【図１３】２つのホーン部に分かれた１つの共鳴箱を備える、図４および６の実施形態に対応する時計の上面図である。
【図１４】図４および６の実施形態に対応する、２つの共鳴箱を備える時計の上面図である。
【発明を実施するための形態】
【００１２】
したがって、本発明による時計の特質は、その１つまたは複数の鐘がケースの非密封部分内に位置することにある。
【００１３】
好ましくは、本発明による時計は、ケースの密封部分内で発生する時打ち機構の運動を、全体がケースの非密封部分内に位置する１つまたは複数の鐘に伝達するために設けられた伝達手段を備える。
【００１４】
本発明による時計については、いくつもの実施形態を企図することができる。そのうちのいくつかを例として以下に説明する。当業者であれば、本発明の枠組から外れることなく、以下の例から容易に別のものを引き出すことができよう。
【００１５】
図１および２に示す本発明の第１の実施形態によれば、時計のケース１は密封部分２と非密封部分３を備える。非密封部分３は全体として密封部分２を少なくとも部分的に取り囲む。
【００１６】
ケース１の隔壁８は、好ましくは全体が円筒形で一端に肩部６を備える打鐘体５が貫通する２つの穴４を備える。シールブッシュ７と呼ばれる部品が隔壁８の穴４に取り付けられ、打鐘体５はそこを貫通する。打鐘体５の周りには、肩部６とシールブッシュ７端部の間に戻しばね９が配設されて、打鐘体５がケース１の密封部分２の方に押し戻されるようにする。
【００１７】
ケース１の非密封部分３内には、打鐘体５の端部によって打撃されるように鐘１０が配設される。肩部６が位置する打鐘体５の他端部は、ケース１の密封部分２内にあって、時打ち機構４０の一部をなすハンマ１１によって打たれるように配置される。
【００１８】
この時打ち機構は機械的方法によって音を発生させる機構である。その内容は既知のタイプの機構であってよく、したがってさらに詳細に示す必要のないものである。それは、たとえば、従来のアラーム時計機構や、従来のミニッツリピータ、クオータリピータ、グランドストライクの機構、さらには特許文献３の対象となっている機構などを挙げることができる。
【００１９】
ケース１の非密封部分３は、鐘１０で発生した音を外に出せるようにする、丸形など、何らかの形状の開口部１３をケース１の外側に備える。
【００２０】
好ましくは、とりわけ図１および２を見るとわかるように、たとえば中空の円柱形などの共鳴箱１２を形成する部分が、鐘１０に対向するように開口部１３に配設されて、発生した音を増幅させるようにする。
【００２１】
図２を見ると、２つの鐘１０が配設されており、２つのうちの一方は時の鐘で、もう一方は分の鐘であってもよく、２つの鐘はそれぞれ時ハンマと分ハンマによって打たれるようになっていることがわかる。この図では、ハンマは、一方がもう一方の上にあるが、変形形態として、ハンマを同一レベルで横に並べて配置することも全く可能であることは言うまでもない。
【００２２】
本発明のもう１つの実施形態によれば、密封部分２と非密封部分３は、時打ち機構の運動が１つまたは複数の鐘に伝達されるように配設された弾性膜によって少なくとも部分的に隔てられる。
【００２３】
この膜は、時打ち機構によってもたらされる衝撃の際の移動を保証するのに十分な薄さと弾性を有する一方で、相応の剛性を有するものでなければならないが、これは、時打ち機構または時計の装着者による衝撃の作用で膜自体が振動することがないようにするとともに、膜が鐘に突き当たったときには鐘が振動できるようにするためである。
【００２４】
そのため、膜は、ゴム、金属、有機ポリマー、とりわけエラストマーのようなポリマーなどの素材からなるものであることができるが、加えてその素材は、膜がケース１の部分、たとえば胴、裏蓋、ベゼルと一体となることを可能にするものでなければならない。その固定は、挟着、接着、溶接など、適当な手段で行うことができるが、それらの作業はケース１の密封部分２の密封性を得ることができるものでなければならない。
【００２５】
膜の厚さおよび面積は、その膜を構成する材料に応じて変わる。例を挙げれば、膜は厚さが１ｍｍで、面積が１ｃｍ２であることができる。
【００２６】
膜は、時打ち機構のハンマが、好ましくは極力その中心部を、打つことができる場所に位置しなければならない。さらに膜は、その柔軟性により、ケースの密封空間から非密封空間に伝達されなければならないリズムと運動を正確に再現することができるものである。膜は、その後、振動することなく、その初期位置に戻ることができるものでなければならない。
【００２７】
変形形態として、時打ち機構のハンマを膜に直接取り付け、ハンマが膜を貫通してケース１の非密封部分３内の１つまたは複数の鐘を打てるようにすることを企図することもできる。
【００２８】
図３に部分的に図示した好ましいもう１つの実施形態によれば、符号１４で示した膜は、密封側では時打ち機構によって打たれ、非密封側では鐘を打つために設けられた少なくとも１つの打鐘体１５を備えている。
【００２９】
この打鐘体１５は、たとえば接着、溶接、圧着、押込みばめなど、あらゆる適当な手段によって膜１４に対して一体的かつ一般には取外し不能に固定される。打鐘体は様々な形状、とりわけ球形をとることができる。打鐘体は、密封側から受け取った機械的衝撃をケース１の非密封側に位置する鐘１０で再現するようになっている。膜１４の弾性および形状記憶により、その衝撃を伝達した後、膜１４は初期位置に戻ることができる。
【００３０】
打鐘体１５は、たとえば直径１ｍｍの球の形をとることができる。そのため、球をその中心で切ったときにできる円盤の面積は、その球を打つハンマの面積と同じまたはその前後であることができる。
【００３１】
図４には、２つの同一の打鐘体１５および１６を備える膜１７を示す。
【００３２】
図５に示す本発明のもう１つの有利な実施形態によれば、膜１９は、ケース１の密封部分２内に位置して、時打ち機構のハンマ１１によって打たれるための「受動側半打鐘体」と呼ばれる部分２０と、ケース１の非密封部分３内に位置して、鐘１０を打つための「鐘側半打鐘体」と呼ばれる部分２１とからなる打鐘体１８を備える。
【００３３】
受動側半打鐘体２０と鐘側半打鐘体２１はあらゆる適当な材料からなるものであることができる。
【００３４】
２つの半打鐘体は、異なる材料からなり、異なる形状を有し、かつねじ留め、押込みばめ、リベット留め、接着、溶接など、あらゆる適当な手段によって、分解不能に、または、動力学的伝達、運動効率、跳返りの機械特性および／もしくは構成材料中の波動伝播速度の改善を目的としたそれらの修理、変更もしくは交換を行えるようにしたい場合には分解可能に、互いに組み立てるとともに、膜１９に組み付けることができる。
【００３５】
打鐘体１８が膜１９上に１つだけあるときは、打鐘体１８は好ましくは膜１９の中央に位置する。
【００３６】
図６に示す変形形態によれば、膜２２は、同一であることが好ましい２つの部分に分かれ、それぞれ受動側半打鐘体２６、２８および鐘側半打鐘体２５、２７からなる２つの打鐘体２３、２４を備えており、打鐘体２３および２４のうちの一方は第１の鐘に、もう一方は第２の鐘に割り当てられる。
【００３７】
振動装置である本発明による鐘は、ケース１の非密封部分３、たとえば胴、裏蓋、ベゼル、または時計を構成するその他のあらゆる部品に固定される。鐘は、胴が円形である場合には、胴と同心であってよい。したがって、鐘はケース１の非密封部分３内に位置し、かつ鐘全体が密封部分２の周りに位置するため、ケースの密封部分内に収容される従来技術の鐘の周長を上回る周長を有することができるという利点を持つ。この周長の違いは、鐘から発生するより大きな音量となって直接現れる。
【００３８】
それに加えて、本発明によれば鐘はケース１の非密封部分３、すなわち開口部１３を備える部分の中にあることから、音を容易にケース１の外に出すことができる。
【００３９】
その結果、非密封部分を持たない従来技術の時計と比べて、本発明の場合、鐘から発生する音の音量は３倍となる。
【００４０】
図７および８は、図６に示す変形形態の膜を備える本発明による時計を示したものである。図７および８に図示したシュー（ｓａｂｏｔ）２９は、基本的に押込みばめ、接着または溶接によってそのシューに固定した鐘３０を支えることを役割とする部品である。この２つの図では、鐘３０は、一方がもう一方の上に位置しているが、変形形態として、鐘を同一レベルで横に並べて配置することもできる。
【００４１】
図８に示すように、膜２２はその中心３１でケース１の一部分に固定されており、それによって、膜２２はそれぞれが打鐘体２３、２４を支える２つの同一部分に分けられる。
【００４２】
変形形態として、それぞれ１つの打鐘体を備える２つの膜を使用してもよいだろう。
【００４３】
図７および８に示した鐘３０は、前出の特許文献３の図３に図示されているもののような、ほぼ円形の従来型の鐘である。
【００４４】
図９および１０に示すもう１つの実施形態によれば、鐘１０はシロフォンの音板のような板の形状を有しており、それぞれが専用の共鳴箱１２に関連付けられる。その共鳴箱の形状は審美的基準に応じて選ぶことができる。
【００４５】
有利な変形形態（図示せず）によれば、鐘３０を支えるシュー２９であって、図７および８で図示されているシュー２９は、鐘３０の振動が時計のケースのいずれか１つの構成要素によって吸収されて減衰しないように鐘３０を隔離する役割を有する中間部品１３によってケース１から引き離されている。
【００４６】
図示しないもう１つの実施形態によれば、ケースの隔壁は膜も穴も備えていない。１つまたは複数のハンマが磁石または電磁石を具備し、その１つまたは複数のハンマと協働するように用意された１つまたは複数の鐘が磁石または電磁石を具備し、それによって、１つまたは複数のハンマの動きが対応する鐘に電磁気的に伝達されるようにする。具体的には、ハンマの端部に磁石または電磁石が配設されていると、ハンマが往復運動を行うとき、それらは、鐘に取り付けられた他の磁石または電磁石と近づき、（極性を逆にすると）次いで遠ざける。それにより、運動に関する情報は、膜も打鐘体も用意する必要なしに、隔壁の一方の側から反対側に伝達される。
【００４７】
図示しないもう１つの実施形態によれば、ハンマのうち１つまたは複数が、電気的なシステムと連係させたスイッチをそれぞれ操作することができ、その電気的なシステムは、それぞれのハンマと協働するように設けられた鐘と連係させた１つまたは複数の振動体またはアクチュエータに電流を送ることができ、それによってハンマの運動が対応する鐘に電気的に伝達される。
【００４８】
本発明による時計の製作
本発明の利点の１つは、時計の製作に当たって、既知の時打ち機構（アラーム、ミニッツリピータなど）に大きな変更を一切加える必要がないところにある。そのため、本発明は、往復システムを利用してある部品が別の部品を打ち鳴らす音発生のためのあらゆるタイプの鐘鈴で使用することができる。
【００４９】
本発明による時計の製作は、少なくとも１つの鐘をケースの非密封部分の中に配置することを基本的にその特質とする。
【００５０】
さらに、ケースの密封部分内で発生する打鐘機構の運動を１つまたは複数の鐘に伝達することができる伝達手段を設けることができる。
【００５１】
一変形形態によれば、鐘鈴の円形ムーブメントの中枠直径に対して接線方向に打鐘体を直接打つように、時打ち機構のハンマの形状の変更を考えることができる。
【００５２】
本発明のもう１つの態様によれば、時計は以下のものを備えることができる。
密封部分（２）と非密封部分（３）を含むケース（１）、
ケース（１）の密封部分（２）内に配設された第１の機構、および
第１の機構を操作する、または第１の機構によって操作されるための第２の機構であって、ケース（１）の非密封部分（３）内に位置する、とりわけ完全に位置する第２の機構。
【００５３】
本発明のこのもう１つの態様による時計は、上に「発明を実施するための形態」の部分で説明した特徴を、技術的に互いに矛盾しないものである限り、あらゆる組み合わせで含むことができる。本発明のこのもう１つの態様による時計は、以下に特許請求の範囲の従属項の中で述べる特徴を、技術的に互いに矛盾しないものである限り、あらゆる組み合わせで、追加的にまたは代替的に含むことができる。
【００５４】
第２の機構はとりわけ押しボタンを備えることができ、第１の機構は、あらゆる時計機構、とりわけクロノグラフ機構または修正機構、特にカレンダー修正機構を備えることができる。
【図１】
2014513309.tif 000003
【図２】
2014513309.tif 000004
【図３】
2014513309.tif 000005
【図４】
2014513309.tif 000006
【図５】
2014513309.tif 000007
【図６】
2014513309.tif 000008
【図８】
2014513309.tif 000009
【図９】
2014513309.tif 000010
【図１０】
2014513309.tif 000011
【図１１】
2014513309.tif 000012
【図１２】
2014513309.tif 000013
【図１３】
2014513309.tif 000014
【図１４】
2014513309.tif 000015
【図７】
2014513309.tif 000016
【国際調査報告】
2014513309.tif 000017
2014513309.tif 000018
2014513309.tif 000019
2014513309.tif 000020
2014513309.tif 000021
2014513309.tif 000022